(57)【要約】【課題】本発明はピアス消毒装置を開示した。【解決手段】消毒棚を含み、前記消毒棚の中には消毒装置が設置され、前記消毒棚の上側には捲り蓋が設置され、前記消毒棚の左側端面の上端には固定棒が固定的に設置され、前記捲り蓋の左端面には翻転棒が固定的に設置され、前記固定棒と前記翻転棒との間が回転可能に連結され、前記捲り蓋の右端には取手が固定され、前記捲り蓋の中には乾燥装置が設置され、前記消毒装置の左側には伝動装置が設置され、前記消毒装置は前記消毒棚の中に設置された上方に開口した消毒チャンバを含み、前記消毒チャンバの中には回転盤が回転可能に設置され、前記消毒チャンバの下側には傘歯車チャンバが設置され、前記回転盤の下端には回転軸が固定的に設置され、前記回転軸の下端は前記傘歯車チャンバの中に位置し且つ従動傘歯車と固定的に連結されている。【選択図】図１
2020175141.tif 000002
【特許請求の範囲】
【請求項１】
正面視で、消毒棚を含み、前記消毒棚の中には消毒装置が設置され、前記消毒棚の上側には捲り蓋が設置され、前記消毒棚の左側端面の上端には固定棒が固定的に設置され、前記捲り蓋の左端面には翻転棒が固定的に設置され、前記固定棒と前記翻転棒との間が回転可能に連結され、前記捲り蓋の右端には取手が固定され、前記捲り蓋の中には乾燥装置が設置され、前記消毒装置の左側には伝動装置が設置され、前記消毒装置は前記消毒棚の中に設置された上方に開口した消毒チャンバを含み、前記消毒チャンバの中には回転盤が回転可能に設置され、前記消毒チャンバの下側には傘歯車チャンバが設置され、前記回転盤の下端には回転軸が固定的に設置され、前記回転軸の下端は前記傘歯車チャンバの中に位置し且つ従動傘歯車と固定的に連結され、前記従動傘歯車の左端には前記従動傘歯車と噛み合った駆動傘歯車が回転可能に設置され、前記駆動傘歯車の軸心には伝動軸が固定的に連結され、前記伝動軸は前記伝動装置に連結され、前記消毒チャンバの円周内壁の外側には環状濾過チャンバが連通するように設置され、前記環状濾過チャンバの中には環状濾過網が固定的に設置され、前記環状濾過チャンバのうち前記消毒チャンバから離れた側には環状排水チャンバが連通するように設置され、前記環状排水チャンバの中には環状封閉板が上下にスライド可能に設置され、前記環状封閉板の内円面は前記環状濾過チャンバを封閉でき、前記環状排水チャンバの下壁の右端面には出水口が連通するように設置されていることを特徴とするピアス消毒装置。
【請求項２】
前記乾燥装置は前記捲り蓋の下側に回転可能に設置された転輪を含み、前記転輪の円周面には羽根が環状に配置され、前記捲り蓋の中にはプーリチャンバが設置され、前記プーリチャンバの中には従動プーリが回転可能に設置され、前記従動プーリの下端には連動軸が固定的に設置され、前記転輪が前記連動軸の下端に固定的に連結され、前記従動プーリの左側には駆動プーリが回転可能に設置され、前記駆動プーリと前記従動プーリとの間には伝動ベルトが周設され、前記駆動プーリの下端にはタイミング軸が固定的に設置され、前記タイミング軸の下端は前記捲り蓋の下側に位置し且つ従動平歯車と固定的に連結され、前記従動平歯車は前記伝動装置に連結されていることを特徴とする請求項１に記載のピアス消毒装置。
【請求項３】
前記伝動装置は前記消毒チャンバの左側に設置された昇降チャンバを含み、前記昇降チャンバの中には昇降ブロックがスライド可能に設置され、前記昇降ブロックの中には動力モータが固定的に設置され、前記動力モータの下端には上傘歯車が伝動可能に連結され、前記上傘歯車の右側には前記上傘歯車と噛み合った下傘歯車が回転可能に設置され、前記昇降チャンバの右側内壁の下端には前記傘歯車チャンバに連通した軸通し穴が連通するように設置され、前記伝動軸の右端が前記軸通し穴を通り抜けて前記下傘歯車の軸心のところに固定的に連結され、前記動力モータの上端には前記昇降ブロックの上側に伸びた動力軸が伝動可能に連結され、前記動力軸の上端はスプラインであり、前記昇降チャンバの上壁の中にはスプライン軸が回転可能に設置され、前記スプライン軸の中には下方に開口したスプライン穴が設置され、前記昇降チャンバの上側に上方に開口した噛合チャンバが設置され、前記スプライン軸の上端は前記噛合チャンバの中に位置し且つ前記従動平歯車と噛み合った駆動傘歯車とは固定的に連結され、前記昇降チャンバの右壁上端には制御チャンバが連通するように設置され、前記制御チャンバの上壁には切換モータが固定的に設置され、前記切換モータの下端には制御ネジロッドが伝動可能に連結され、前記制御チャンバの中には、前記制御ネジロッドにねじにより連結され且つ前記昇降ブロックの右端面に固定的に連結された制御ブロックがスライド可能に設置され、前記昇降チャンバの右側内壁の中間部分には前記環状排水チャンバに連通したガイドスライドチャンバが連通するように設置され、前記昇降ブロックの右端には前記ガイドスライドチャンバの中に位置し且つ前記環状封閉板の左端に固定的に連結された連動ブロックが固定的に設置されていることを特徴とする請求項１に記載のピアス消毒装置。
【発明の詳細な説明】
【技術分野】
【０００１】
本発明はアクセサリー養護技術分野に関し、具体的にはピアス消毒装置に関する。
【背景技術】
【０００２】
ピアスは女性に大人気のアクセサリーの一種として、すでに町中でところどころに見られるようになった。しかしピアスにはいろんな細菌が繁殖し、念の為、耳を貫くピアスの清潔度を維持して感染を防止しなければならない。ピアスの清潔は消毒酒精を使い、殆どは人力でピアスを酒精の中に浸して消毒するのであるため、ピアスと酒精とは充分に接触できなく、しかも時間がかかり、ピアスを付ける前に待つ時間が長くて非常に不便である。そのため、ピアス消毒装置は実に必要である。本装置はピアスを消毒する時、ピアスを酒精と充分に接触させ、消毒効率を上げると同時に、ピアスを風乾によって乾燥を加速し、使用をもっと便利にする。
【先行技術文献】
【特許文献】
【０００３】
【特許文献１】中国特許出願公開第105603443号明細書
【発明の概要】
【発明が解決しようとする課題】
【０００４】
本発明の目的はピアス消毒装置を提供し、それは上記の現在の技術中の問題を解決できる。
【課題を解決するための手段】
【０００５】
上記の課題を解決するため、本発明は以下の技術プランを採用する：ピアス消毒装置は、消毒棚を含み、前記消毒棚の中には消毒装置が設置され、前記消毒棚の上側には捲り蓋が設置され、前記消毒棚の左側端面の上端には固定棒が固定的に設置され、前記捲り蓋の左端面には翻転棒が固定的に設置され、前記固定棒と前記翻転棒との間が回転可能に連結され、前記捲り蓋の右端には取手が固定され、前記捲り蓋の中には乾燥装置が設置され、前記消毒装置の左側には伝動装置が設置され、前記消毒装置は前記消毒棚の中に設置された上方に開口した消毒チャンバを含み、前記消毒チャンバの中には回転盤が回転可能に設置され、前記消毒チャンバの下側には傘歯車チャンバが設置され、前記回転盤の下端には回転軸が固定的に設置され、前記回転軸の下端は前記傘歯車チャンバの中に位置し且つ従動傘歯車と固定的に連結され、前記従動傘歯車の左端には前記従動傘歯車と噛み合った駆動傘歯車が回転可能に設置され、前記駆動傘歯車の軸心には伝動軸が固定的に連結され、前記伝動軸は前記伝動装置に連結され、前記消毒チャンバの円周内壁の外側には環状濾過チャンバが連通するように設置され、前記環状濾過チャンバの中には環状濾過網が固定的に設置され、前記環状濾過チャンバのうち前記消毒チャンバから離れた側には環状排水チャンバが連通するように設置され、前記環状排水チャンバの中には環状封閉板が上下にスライド可能に設置され、前記環状封閉板の内円面は前記環状濾過チャンバを封閉でき、前記環状排水チャンバの下壁の右端面には出水口が連通するように設置されている。
【０００６】
優選的には、前記乾燥装置は前記捲り蓋の下側に回転可能に設置された転輪を含み、前記転輪の円周面には羽根が環状に配置され、前記捲り蓋の中にはプーリチャンバが設置され、前記プーリチャンバの中には従動プーリが回転可能に設置され、前記従動プーリの下端には連動軸が固定的に設置され、前記転輪が前記連動軸の下端に固定的に連結され、前記従動プーリの左側には駆動プーリが回転可能に設置され、前記駆動プーリと前記従動プーリとの間には伝動ベルトが周設され、前記駆動プーリの下端にはタイミング軸が固定的に設置され、前記タイミング軸の下端は前記捲り蓋の下側に位置し且つ従動平歯車と固定的に連結され、前記従動平歯車は前記伝動装置に連結されている。
【０００７】
前記伝動装置は前記消毒チャンバの左側に設置された昇降チャンバを含み、前記昇降チャンバの中には昇降ブロックがスライド可能に設置され、前記昇降ブロックの中には動力モータが固定的に設置され、前記動力モータの下端には上傘歯車が伝動可能に連結され、前記上傘歯車の右側には前記上傘歯車と噛み合った下傘歯車が回転可能に設置され、前記昇降チャンバの右側内壁の下端には前記傘歯車チャンバに連通した軸通し穴が連通するように設置され、前記伝動軸の右端が前記軸通し穴を通り抜けて前記下傘歯車の軸心のところに固定的に連結され、前記動力モータの上端には前記昇降ブロックの上側に伸びた動力軸が伝動可能に連結され、前記動力軸の上端はスプラインであり、前記昇降チャンバの上壁の中にはスプライン軸が回転可能に設置され、前記スプライン軸の中には下方に開口したスプライン穴が設置され、前記昇降チャンバの上側に上方に開口した噛合チャンバが設置され、前記スプライン軸の上端は前記噛合チャンバの中に位置し且つ前記従動平歯車と噛み合った駆動傘歯車とは固定的に連結され、前記昇降チャンバの右壁上端には制御チャンバが連通するように設置され、前記制御チャンバの上壁には切換モータが固定的に設置され、前記切換モータの下端には制御ネジロッドが伝動可能に連結され、前記制御チャンバの中には、前記制御ネジロッドにねじにより連結され且つ前記昇降ブロックの右端面に固定的に連結された制御ブロックがスライド可能に設置され、前記昇降チャンバの右側内壁の中間部分には前記環状排水チャンバに連通したガイドスライドチャンバが連通するように設置され、前記昇降ブロックの右端には前記ガイドスライドチャンバの中に位置し且つ前記環状封閉板の左端に固定的に連結された連動ブロックが固定的に設置されている。
【発明の効果】
【０００８】
本発明の有益効果は：本装置によりピアスを消毒する時、ピアスと酒精を充分に接触させることで、消毒効率を上げることができると同時に、乾燥を加速し、使用に便利を与える。
【図面の簡単な説明】
【０００９】
下記に図１〜３をあわせて本発明について詳しく説明し、便利に説明するために、下記の方向を以下のように規定する：図１は本発明装置の正面図であり、以下に述べる上下左右前後の方向と図１の自身投影関係の上下左右前後の方向とが一致である。
【００１０】
【図１】図１は本発明のピアス消毒装置の内部全体構造略図
【図２】図２は図１におけるＡ―Ａ方向の構造図
【図３】図３は本発明により乾燥を行う時の内部構造図
【発明を実施するための形態】
【００１１】
図１〜３を参照し、本発明のピアス消毒装置は、消毒棚１１を含み、前記消毒棚１１の中には消毒装置１０１が設置され、前記消毒棚１１の上側には捲り蓋１２が設置され、前記消毒棚１１の左側端面の上端には固定棒１３が固定的に設置され、前記捲り蓋１２の左端面には翻転棒１４が固定的に設置され、前記固定棒１３と前記翻転棒１４との間が回転可能に連結され、前記捲り蓋１２の右端には取手５１が固定され、前記捲り蓋１２の中には乾燥装置１０２が設置され、前記消毒装置１０１の左側には伝動装置１０３が設置され、前記消毒装置１０１は前記消毒棚１１の中に設置された上方に開口した消毒チャンバ１５を含み、前記消毒チャンバ１５の中には回転盤１６が回転可能に設置され、前記消毒チャンバ１５の下側には傘歯車チャンバ２３が設置され、前記回転盤１６の下端には回転軸２４が固定的に設置され、前記回転軸２４の下端は前記傘歯車チャンバ２３の中に位置し且つ従動傘歯車２５と固定的に連結され、前記従動傘歯車２５の左端には前記従動傘歯車２５と噛み合った駆動傘歯車２６が回転可能に設置され、前記駆動傘歯車２６の軸心には伝動軸２７が固定的に連結され、前記伝動軸２７は前記伝動装置１０３に連結され、前記消毒チャンバ１５の円周内壁の外側には環状濾過チャンバ２８が連通するように設置され、前記環状濾過チャンバ２８の中には環状濾過網２９が固定的に設置され、前記環状濾過チャンバ２８のうち前記消毒チャンバ１５から離れた側には環状排水チャンバ５２が連通するように設置され、前記環状排水チャンバ５２の中には環状封閉板５３が上下にスライド可能に設置され、前記環状封閉板５３の内円面は前記環状濾過チャンバ２８を封閉でき、前記環状排水チャンバ５２の下壁の右端面には出水口３０が連通するように設置されている。
【００１２】
有益的には、前記乾燥装置１０２は前記捲り蓋１２の下側に回転可能に設置された転輪１７を含み、前記転輪１７の円周面には羽根１８が環状に配置され、前記捲り蓋１２の中にはプーリチャンバ３１が設置され、前記プーリチャンバ３１の中には従動プーリ３２が回転可能に設置され、前記従動プーリ３２の下端には連動軸３３が固定的に設置され、前記転輪１７が前記連動軸３３の下端に固定的に連結され、前記従動プーリ３２の左側には駆動プーリ３４が回転可能に設置され、前記駆動プーリ３４と前記従動プーリ３２との間には伝動ベルト３５が周設され、前記駆動プーリ３４の下端にはタイミング軸３６が固定的に設置され、前記タイミング軸３６の下端は前記捲り蓋１２の下側に位置し且つ従動平歯車３７と固定的に連結され、前記従動平歯車３７は前記伝動装置１０３に連結されている。
【００１３】
有益的には、前記伝動装置１０３は前記消毒チャンバ１５の左側に設置された昇降チャンバ１９を含み、前記昇降チャンバ１９の中には昇降ブロック２０がスライド可能に設置され、前記昇降ブロック２０の中には動力モータ２１が固定的に設置され、前記動力モータ２１の下端には上傘歯車３８が伝動可能に連結され、前記上傘歯車３８の右側には前記上傘歯車３８と噛み合った下傘歯車３９が回転可能に設置され、前記昇降チャンバ１９の右側内壁の下端には前記傘歯車チャンバ２３に連通した軸通し穴４０が連通するように設置され、前記伝動軸２７の右端が前記軸通し穴４０を通り抜けて前記下傘歯車３９の軸心のところに固定的に連結され、前記動力モータ２１の上端には前記昇降ブロック２１の上側に伸びた動力軸４１が伝動可能に連結され、前記動力軸４１の上端はスプラインであり、前記昇降チャンバ１９の上壁の中にはスプライン軸４２が回転可能に設置され、前記スプライン軸４２の中には下方に開口したスプライン穴４３が設置され、前記昇降チャンバ１９の上側に上方に開口した噛合チャンバ４４が設置され、前記スプライン軸４２の上端は前記噛合チャンバ４４の中に位置し且つ前記従動平歯車３７と噛み合った駆動傘歯車４５とは固定的に連結され、前記昇降チャンバ１９の右壁上端には制御チャンバ４６が連通するように設置され、前記制御チャンバ４６の上壁には切換モータ２２が固定的に設置され、前記切換モータ２２の下端には制御ネジロッド４７が伝動可能に連結され、前記制御チャンバ４６の中には、前記制御ネジロッド４７にねじにより連結され且つ前記昇降ブロック２０の右端面に固定的に連結された制御ブロック４８がスライド可能に設置され、前記昇降チャンバ１９の右側内壁の中間部分には前記環状排水チャンバ５２に連通したガイドスライドチャンバ４９が連通するように設置され、前記昇降ブロック２０の右端には前記ガイドスライドチャンバ４９の中に位置し且つ前記環状封閉板５３の左端に固定的に連結された連動ブロック５０が固定的に設置されている。
【００１４】
初期状態にある時、捲り蓋１２は消毒チャンバ１５の上側を封閉し、昇降ブロック２０が下の極限位置に位置し、この時上傘歯車３８と下傘歯車３９とが噛み合っており、動力軸４１とスプライン軸４２とが連結されており、環状封閉板５２は下の極限位置に位置し、環状排水チャンバ５２を封閉している。
【００１５】
ピアスを消毒する時、取手５１によって捲り蓋１２の右端をめくって開け、それからピアスを回転盤１６に置き、消毒チャンバ１５の中に適量の消毒酒精を入れてから捲り蓋１２を閉じ、この時動力モータ２１が起動して上傘歯車３８を回転連動させ、更に歯車噛合により下傘歯車３９を回転連動させ、更に伝動軸２７により駆動傘歯車２６を回転連動させることで、歯車噛合により従動傘歯車２５を回転連動させ、更に回転軸２４により回転盤１６を回転連動させ、動力モータ２１を正逆転連動させて回転盤１６を正逆転連動させ、ピアスを酒精と充分に接触させることで、消毒効率を上げ、消毒完了した後、切換モータ２２を起動して制御ネジロッド４７を回転連動させ、更にねじ山により制御ブロック４８を上昇連動させることで、昇降ブロック２０を上昇連動させ、上傘歯車３８と下傘歯車３９とが噛合状態から離脱し、動力軸４１の上端がスプライン穴４３の中に伸びてスプライン軸４２とスプラインによって連結されると同時に、昇降ブロック２０が連動ブロック５０により環状封閉板５３を上昇連動させ、更に環状濾過チャンバ２８と環状排水チャンバ５２とを連通し、この時酒精は環状濾過網２９にろ過された環状排水チャンバ５２と出水口３０から排出されると、動力モータ２１が起動して動力軸４１を回転連動させ、スプライン連結によりスプライン軸４２を回転連動させ、更に駆動傘歯車４５を回転連動させ、歯車噛合により従動平歯車３７を回転連動させ、タイミング軸３６により駆動プーリ３４を回転連動させ、伝動ベルト３５により従動プーリ３２を回転連動させ、連動軸３３により転輪１７とファン１８とを回転連動させることで、ピアスを吹いて乾燥させ、最後に捲り蓋１２を開けてピアスを取り出せばいい。
【００１６】
有益効果は：本装置によりピアスを消毒する時、ピアスと酒精を充分に接触させることで、消毒効率を上げることができると同時に、乾燥を加速し、使用に便利を与える。
【００１７】
本分野の技術者が明確できるのは、本発明の総体精神や発想から離脱しない場合で、以上の実施例に各種な変形ができ、それらの変形がすべて本発明の保護範囲にある。本発明の保護方案は本発明の権利要求書を標準とすべきである。
【図１】
2020175141.tif 000003
【図２】
2020175141.tif 000004
【図３】
2020175141.tif 000005
【手続補正書】
【提出日】令和1年8月22日(2019.8.22)
【手続補正１】
【補正対象書類名】特許請求の範囲
【補正対象項目名】全文
【補正方法】変更
【補正の内容】
【特許請求の範囲】
【請求項１】
正面視で、消毒箱を含み、前記消毒箱の中には消毒装置が設置され、前記消毒箱の上側には捲り蓋が設置され、前記消毒箱の左側端面の上端には固定棒が固定的に設置され、前記捲り蓋の左端面には翻転棒が固定的に設置され、前記固定棒と前記翻転棒との間が回転可能に連結され、前記捲り蓋の右端には取手が固定され、前記捲り蓋の中には乾燥装置が設置され、前記消毒装置の左側には伝動装置が設置され、前記消毒装置は前記消毒箱の中に設置された上方に開口した消毒チャンバを含み、前記消毒チャンバの中には回転盤が回転可能に設置され、前記消毒チャンバの下側には傘歯車チャンバが設置され、前記回転盤の下端には回転軸が固定的に設置され、前記回転軸の下端は前記傘歯車チャンバの中に位置し且つ従動傘歯車と固定的に連結され、前記従動傘歯車の左端には前記従動傘歯車と噛み合った駆動傘歯車が回転可能に設置され、前記駆動傘歯車の軸心には伝動軸が固定的に連結され、前記伝動軸は前記伝動装置に連結され、前記消毒チャンバの円周内壁の外側には環状濾過チャンバが連通するように設置され、前記環状濾過チャンバの中には環状濾過網が固定的に設置され、前記環状濾過チャンバのうち前記消毒チャンバから離れた側には環状排水チャンバが連通するように設置され、前記環状排水チャンバの中には環状封閉板が上下にスライド可能に設置され、前記環状封閉板の内円面は前記環状濾過チャンバを封閉でき、前記環状排水チャンバの下壁の右端面には出水口が連通するように設置されていることを特徴とするピアス消毒装置。
【請求項２】
前記乾燥装置は前記捲り蓋の下側に回転可能に設置された転輪を含み、前記転輪の円周面には羽根が環状に配置され、前記捲り蓋の中にはプーリチャンバが設置され、前記プーリチャンバの中には従動プーリが回転可能に設置され、前記従動プーリの下端には連動軸が固定的に設置され、前記転輪が前記連動軸の下端に固定的に連結され、前記従動プーリの左側には駆動プーリが回転可能に設置され、前記駆動プーリと前記従動プーリとの間には伝動ベルトが周設され、前記駆動プーリの下端にはタイミング軸が固定的に設置され、前記タイミング軸の下端は前記捲り蓋の下側に位置し且つ従動平歯車と固定的に連結され、前記従動平歯車は前記伝動装置に連結されていることを特徴とする請求項1に記載のピアス消毒装置。
【請求項３】
前記伝動装置は前記消毒チャンバの左側に設置された昇降チャンバを含み、前記昇降チャンバの中には昇降ブロックがスライド可能に設置され、前記昇降ブロックの中には動力モータが固定的に設置され、前記動力モータの下端には上傘歯車が伝動可能に連結され、前記上傘歯車の右側には前記上傘歯車と噛み合った下傘歯車が回転可能に設置され、前記昇降チャンバの右側内壁の下端には前記傘歯車チャンバに連通した軸通し穴が連通するように設置され、前記伝動軸が前記軸通し穴の左右両端を通り抜けて前記下傘歯車の軸心のところに固定的に連結され、前記動力モータの上端には前記昇降ブロックの上側に伸びた動力軸が伝動可能に連結され、前記動力軸の上端はスプラインであり、前記昇降チャンバの上壁の中にはスプライン軸が回転可能に設置され、前記スプライン軸の中には下方に開口したスプライン穴が設置され、前記昇降チャンバの上側に上方に開口した噛合チャンバが設置され、前記スプライン軸の上端は前記噛合チャンバの中に位置し、前記スプライン軸の上端には駆動平歯車が固定的に設置され、前記駆動平歯車と前記従動平歯車とが噛み合っており、前記昇降チャンバの右壁上端には制御チャンバが連通するように設置され、前記制御チャンバの上壁には切換モータが固定的に設置され、前記切換モータの下端には制御ネジロッドが伝動可能に連結され、前記制御チャンバの中には、前記制御ネジロッドにねじにより連結され且つ前記昇降ブロックの右端面に固定的に連結された制御ブロックがスライド可能に設置され、前記昇降チャンバの右側内壁の中間部分には前記環状排水チャンバに連通したガイドスライドチャンバが連通するように設置され、前記昇降ブロックの右端には前記ガイドスライドチャンバの中に位置し且つ前記環状封閉板の左端に固定的に連結された連動ブロックが固定的に設置されていることを特徴とする請求項2に記載のピアス消毒装置。
【手続補正２】
【補正対象書類名】明細書
【補正対象項目名】全文
【補正方法】変更
【補正の内容】
【発明の詳細な説明】
【技術分野】
【０００１】
本発明はアクセサリー養護技術分野に関し、具体的にはピアス消毒装置に関する。
【背景技術】
【０００２】
ピアスは女性に大人気のアクセサリーの一種として、すでに町中でところどころに見られるようになった。しかしピアスにはいろんな細菌が繁殖し、念の為、耳を貫くピアスの清潔度を維持して感染を防止しなければならない。ピアスの清潔は消毒酒精を使い、殆どは人力でピアスを酒精の中に浸して消毒するのであるため、ピアスと酒精とは充分に接触できなく、しかも時間がかかり、ピアスを付ける前に待つ時間が長くて非常に不便である。そのため、ピアス消毒装置は実に必要である。本装置はピアスを消毒する時、ピアスを酒精と充分に接触させ、消毒効率を上げると同時に、ピアスを風乾によって乾燥を加速し、使用をもっと便利にする。
【先行技術文献】
【特許文献】
【０００３】
【特許文献１】中国特許出願公開第105603443号明細書
【発明の概要】
【発明が解決しようとする課題】
【０００４】
本発明の目的はピアス消毒装置を提供し、それは上記の現在の技術中の問題を解決できる。
【課題を解決するための手段】
【０００５】
上記の課題を解決するため、本発明は以下の技術プランを採用する：ピアス消毒装置は、消毒箱を含み、前記消毒箱の中には消毒装置が設置され、前記消毒箱の上側には捲り蓋が設置され、前記消毒箱の左側端面の上端には固定棒が固定的に設置され、前記捲り蓋の左端面には翻転棒が固定的に設置され、前記固定棒と前記翻転棒との間が回転可能に連結され、前記捲り蓋の右端には取手が固定され、前記捲り蓋の中には乾燥装置が設置され、前記消毒装置の左側には伝動装置が設置され、前記消毒装置は前記消毒箱の中に設置された上方に開口した消毒チャンバを含み、前記消毒チャンバの中には回転盤が回転可能に設置され、前記消毒チャンバの下側には傘歯車チャンバが設置され、前記回転盤の下端には回転軸が固定的に設置され、前記回転軸の下端は前記傘歯車チャンバの中に位置し且つ従動傘歯車と固定的に連結され、前記従動傘歯車の左端には前記従動傘歯車と噛み合った駆動傘歯車が回転可能に設置され、前記駆動傘歯車の軸心には伝動軸が固定的に連結され、前記伝動軸は前記伝動装置に連結され、前記消毒チャンバの円周内壁の外側には環状濾過チャンバが連通するように設置され、前記環状濾過チャンバの中には環状濾過網が固定的に設置され、前記環状濾過チャンバのうち前記消毒チャンバから離れた側には環状排水チャンバが連通するように設置され、前記環状排水チャンバの中には環状封閉板が上下にスライド可能に設置され、前記環状封閉板の内円面は前記環状濾過チャンバを封閉でき、前記環状排水チャンバの下壁の右端面には出水口が連通するように設置されている。
【０００６】
優選的には、前記乾燥装置は前記捲り蓋の下側に回転可能に設置された転輪を含み、前記転輪の円周面には羽根が環状に配置され、前記捲り蓋の中にはプーリチャンバが設置され、前記プーリチャンバの中には従動プーリが回転可能に設置され、前記従動プーリの下端には連動軸が固定的に設置され、前記転輪が前記連動軸の下端に固定的に連結され、前記従動プーリの左側には駆動プーリが回転可能に設置され、前記駆動プーリと前記従動プーリとの間には伝動ベルトが周設され、前記駆動プーリの下端にはタイミング軸が固定的に設置され、前記タイミング軸の下端は前記捲り蓋の下側に位置し且つ従動平歯車と固定的に連結され、前記従動平歯車は前記伝動装置に連結されている。
【０００７】
前記伝動装置は前記消毒チャンバの左側に設置された昇降チャンバを含み、前記昇降チャンバの中には昇降ブロックがスライド可能に設置され、前記昇降ブロックの中には動力モータが固定的に設置され、前記動力モータの下端には上傘歯車が伝動可能に連結され、前記上傘歯車の右側には前記上傘歯車と噛み合った下傘歯車が回転可能に設置され、前記昇降チャンバの右側内壁の下端には前記傘歯車チャンバに連通した軸通し穴が連通するように設置され、前記伝動軸が前記軸通し穴の左右両端を通り抜けて前記下傘歯車の軸心のところに固定的に連結され、前記動力モータの上端には前記昇降ブロックの上側に伸びた動力軸が伝動可能に連結され、前記動力軸の上端はスプラインであり、前記昇降チャンバの上壁の中にはスプライン軸が回転可能に設置され、前記スプライン軸の中には下方に開口したスプライン穴が設置され、前記昇降チャンバの上側に上方に開口した噛合チャンバが設置され、前記スプライン軸の上端は前記噛合チャンバの中に位置し、前記スプライン軸の上端には駆動平歯車が固定的に設置され、前記駆動平歯車と前記従動平歯車とが噛み合っており、前記昇降チャンバの右壁上端には制御チャンバが連通するように設置され、前記制御チャンバの上壁には切換モータが固定的に設置され、前記切換モータの下端には制御ネジロッドが伝動可能に連結され、前記制御チャンバの中には、前記制御ネジロッドにねじにより連結され且つ前記昇降ブロックの右端面に固定的に連結された制御ブロックがスライド可能に設置され、前記昇降チャンバの右側内壁の中間部分には前記環状排水チャンバに連通したガイドスライドチャンバが連通するように設置され、前記昇降ブロックの右端には前記ガイドスライドチャンバの中に位置し且つ前記環状封閉板の左端に固定的に連結された連動ブロックが固定的に設置されている。
【発明の効果】
【０００８】
本発明の有益効果は：本装置によりピアスを消毒する時、ピアスと酒精を充分に接触させることで、消毒効率を上げることができると同時に、乾燥を加速し、使用に便利を与える。
【図面の簡単な説明】
【０００９】
下記に図１〜３をあわせて本発明について詳しく説明し、便利に説明するために、下記の方向を以下のように規定する：図１は本発明装置の正面図であり、以下に述べる上下左右前後の方向と図１の自身投影関係の上下左右前後の方向とが一致である。
【００１０】
【図１】図１は本発明のピアス消毒装置の内部全体構造略図
【図２】図２は図１におけるＡ―Ａ方向の構造図
【図３】図３は本発明により乾燥を行う時の内部構造図
【発明を実施するための形態】
【００１１】
図１〜３を参照し、本発明のピアス消毒装置は、消毒箱１１を含み、前記消毒箱１１の中には消毒装置１０１が設置され、前記消毒箱１１の上側には捲り蓋１２が設置され、前記消毒箱１１の左側端面の上端には固定棒１３が固定的に設置され、前記捲り蓋１２の左端面には翻転棒１４が固定的に設置され、前記固定棒１３と前記翻転棒１４との間が回転可能に連結され、前記捲り蓋１２の右端には取手５１が固定され、前記捲り蓋１２の中には乾燥装置１０２が設置され、前記消毒装置１０１の左側には伝動装置１０３が設置され、前記消毒装置１０１は前記消毒箱１１の中に設置された上方に開口した消毒チャンバ１５を含み、前記消毒チャンバ１５の中には回転盤１６が回転可能に設置され、前記消毒チャンバ１５の下側には傘歯車チャンバ２３が設置され、前記回転盤１６の下端には回転軸２４が固定的に設置され、前記回転軸２４の下端は前記傘歯車チャンバ２３の中に位置し且つ従動傘歯車２５と固定的に連結され、前記従動傘歯車２５の左端には前記従動傘歯車２５と噛み合った駆動傘歯車２６が回転可能に設置され、前記駆動傘歯車２６の軸心には伝動軸２７が固定的に連結され、前記伝動軸２７は前記伝動装置１０３に連結され、前記消毒チャンバ１５の円周内壁の外側には環状濾過チャンバ２８が連通するように設置され、前記環状濾過チャンバ２８の中には環状濾過網２９が固定的に設置され、前記環状濾過チャンバ２８のうち前記消毒チャンバ１５から離れた側には環状排水チャンバ５２が連通するように設置され、前記環状排水チャンバ５２の中には環状封閉板５３が上下にスライド可能に設置され、前記環状封閉板５３の内円面は前記環状濾過チャンバ２８を封閉でき、前記環状排水チャンバ５２の下壁の右端面には出水口３０が連通するように設置されている。
【００１２】
有益的には、前記乾燥装置１０２は前記捲り蓋１２の下側に回転可能に設置された転輪１７を含み、前記転輪１７の円周面には羽根１８が環状に配置され、前記捲り蓋１２の中にはプーリチャンバ３１が設置され、前記プーリチャンバ３１の中には従動プーリ３２が回転可能に設置され、前記従動プーリ３２の下端には連動軸３３が固定的に設置され、前記転輪１７が前記連動軸３３の下端に固定的に連結され、前記従動プーリ３２の左側には駆動プーリ３４が回転可能に設置され、前記駆動プーリ３４と前記従動プーリ３２との間には伝動ベルト３５が周設され、前記駆動プーリ３４の下端にはタイミング軸３６が固定的に設置され、前記タイミング軸３６の下端は前記捲り蓋１２の下側に位置し且つ従動平歯車３７と固定的に連結され、前記従動平歯車３７は前記伝動装置１０３に連結されている。
【００１３】
有益的には、前記伝動装置１０３は前記消毒チャンバ１５の左側に設置された昇降チャンバ１９を含み、前記昇降チャンバ１９の中には昇降ブロック２０がスライド可能に設置され、前記昇降ブロック２０の中には動力モータ２１が固定的に設置され、前記動力モータ２１の下端には上傘歯車３８が伝動可能に連結され、前記上傘歯車３８の右側には前記上傘歯車３８と噛み合った下傘歯車３９が回転可能に設置され、前記昇降チャンバ１９の右側内壁の下端には前記傘歯車チャンバ２３に連通した軸通し穴４０が連通するように設置され、前記伝動軸２７が前記軸通し穴４０の左右両端を通り抜けて前記下傘歯車３９の軸心のところに固定的に連結され、前記動力モータ２１の上端には前記昇降ブロック２１の上側に伸びた動力軸４１が伝動可能に連結され、前記動力軸４１の上端はスプラインであり、前記昇降チャンバ１９の上壁の中にはスプライン軸４２が回転可能に設置され、前記スプライン軸４２の中には下方に開口したスプライン穴４３が設置され、前記昇降チャンバ１９の上側に上方に開口した噛合チャンバ４４が設置され、前記スプライン軸４２の上端は前記噛合チャンバ４４の中に位置し、前記スプライン軸４２の上端には駆動平歯車４５が固定的に設置され、前記駆動平歯車４５と前記従動平歯車３７とが噛み合っており、前記昇降チャンバ１９の右壁上端には制御チャンバ４６が連通するように設置され、前記制御チャンバ４６の上壁には切換モータ２２が固定的に設置され、前記切換モータ２２の下端には制御ネジロッド４７が伝動可能に連結され、前記制御チャンバ４６の中には、前記制御ネジロッド４７にねじにより連結され且つ前記昇降ブロック２０の右端面に固定的に連結された制御ブロック４８がスライド可能に設置され、前記昇降チャンバ１９の右側内壁の中間部分には前記環状排水チャンバ５２に連通したガイドスライドチャンバ４９が連通するように設置され、前記昇降ブロック２０の右端には前記ガイドスライドチャンバ４９の中に位置し且つ前記環状封閉板５３の左端に固定的に連結された連動ブロック５０が固定的に設置されている。
【００１４】
初期状態にある時、捲り蓋１２は消毒チャンバ１５の上側を封閉し、昇降ブロック２０が下の極限位置に位置し、この時上傘歯車３８と下傘歯車３９とが噛み合っており、動力軸４１とスプライン軸４２とが連結されており、環状封閉板５２は下の極限位置に位置し、環状排水チャンバ５２を封閉している。
【００１５】
ピアスを消毒する時、取手５１によって捲り蓋１２の右端をめくって開け、それからピアスを回転盤１６に置き、消毒チャンバ１５の中に適量の消毒酒精を入れてから捲り蓋１２を閉じ、この時動力モータ２１が起動して上傘歯車３８を回転連動させ、更に歯車噛合により下傘歯車３９を回転連動させ、更に伝動軸２７により駆動平歯車２６を回転連動させることで、歯車噛合により従動傘歯車２５を回転連動させ、更に回転軸２４により回転盤１６を回転連動させ、動力モータ２１を正逆転連動させて回転盤１６を正逆転連動させ、ピアスを酒精と充分に接触させることで、消毒効率を上げ、消毒完了した後、切換モータ２２を起動して制御ネジロッド４７を回転連動させ、更にねじ山により制御ブロック４８を上昇連動させることで、昇降ブロック２０を上昇連動させ、上傘歯車３８と下傘歯車３９とが噛合状態から離脱し、動力軸４１の上端がスプライン穴４３の中に伸びてスプライン軸４２とスプラインによって連結されると同時に、昇降ブロック２０が連動ブロック５０により環状封閉板５３を上昇連動させ、更に環状濾過チャンバ２８と環状排水チャンバ５２とを連通し、この時酒精は環状濾過網２９にろ過された環状排水チャンバ５２と出水口３０から排出されると、動力モータ２１が起動して動力軸４１を回転連動させ、スプライン連結によりスプライン軸４２を回転連動させ、更に駆動平歯車４５を回転連動させ、歯車噛合により従動平歯車３７を回転連動させ、タイミング軸３６により駆動プーリ３４を回転連動させ、伝動ベルト３５により従動プーリ３２を回転連動させ、連動軸３３により転輪１７とファン１８とを回転連動させることで、ピアスを吹いて乾燥させ、最後に捲り蓋１２を開けてピアスを取り出せばいい。
【００１６】
有益効果は：本装置によりピアスを消毒する時、ピアスと酒精を充分に接触させることで、消毒効率を上げることができると同時に、乾燥を加速し、使用に便利を与える。
【００１７】
本分野の技術者が明確できるのは、本発明の総体精神や発想から離脱しない場合で、以上の実施例に各種な変形ができ、それらの変形がすべて本発明の保護範囲にある。本発明の保護方案は本発明の権利要求書を標準とすべきである。